(57)【要約】【課題】歩き始めの乳幼児に特に適した滑り止め構造を有する乳幼児用靴を提供する。【解決手段】乳幼児用靴１０は、つま先部Ａと中間部Ｂと踵部Ｃとから構成される靴底１１の裏面に滑り止め１２を備える。滑り止め１２は、踵部Ｃおよび中間部Ｂの外側領域にのみ形成されており、その他の部分では滑り止めが無くフラットな形状である。【選択図】        図８
2004254964.tif 000002
【特許請求の範囲】
【請求項１】
つま先部と中間部と踵部とから構成される靴底裏面に滑り止めを備えた乳幼児用靴において、
前記滑り止めは、前記踵部および前記中間部の外側領域にのみ形成されていることを特徴とする、乳幼児用靴。
【請求項２】
前記踵部の滑り止めと、前記中間部の外側領域の滑り止めとは、連続的に形成されている、請求項１に記載の乳幼児用靴。
【発明の詳細な説明】
【０００１】
【発明の属する技術分野】
この発明は、乳幼児用靴に関するものであり、特に歩き始めの乳幼児に適した乳幼児用靴に関するものである。
【０００２】
【従来の技術】
一般的に、靴の靴底の裏面には、滑り止めが形成される。図６は、特開２００１−７０００７号公報に開示された大人の靴の靴底裏面を示している。
【０００３】
靴底裏面は、図６に示すように、つま先部Ａと中間部Ｂと踵部Ｃとから構成される。大人の靴の場合、歩行動作をスムーズに行なうようにするために、一般には、つま先部Ａと中間部Ｂとにまたがって前方滑り止め１が形成され、踵部Ｃに後方滑り止め２が形成される。
【０００４】
【特許文献１】
特開２００１−７０００７号公報（図１８）
【０００５】
【発明が解決しようとする課題】
歩き始めの乳幼児の歩行形態と大人の歩行形態とは、全く相違している。そのため、大人の靴に適用された滑り止めと同じ構造のものを歩き始めの乳幼児の靴に適用すると、危険な場合が生じてくる。
【０００６】
この発明の目的は、歩き始めの乳幼児に特に適した滑り止め構造を有する乳幼児用靴を提供することである。
【０００７】
【課題を解決するための手段】
この発明は、つま先部と中間部と踵部とから構成される靴底裏面に滑り止めを備えた乳幼児用靴を前提とし、以下の点を特徴とする。すなわち、滑り止めは、踵部および中間部の外側領域にのみ形成されている。
【０００８】
一つの実施形態では、踵部の滑り止めと、中間部の外側領域の滑り止めとは、連続的に形成されている。
【０００９】
上記各構成の作用効果については、発明の実施の形態の項で説明する。
【００１０】
【発明の実施の形態】
図１は、土踏まずが形成された大人の足の裏を示している。図中、矢印で示すのは、歩行時の体重移動の軌跡である。大人の歩行時の重心移動に注目すると、最初に踵で接地し、重心が足の外側に移動して、第５中足骨骨頭部より第１中足骨骨頭部に移行し、母趾（第１指）の先端より抜けていく。
【００１１】
土踏まずの形成されていない歩き始めの乳幼児の場合には、全く異なった重心移動の軌跡を描く。本願の発明者は、足裏の圧分布計測によって乳幼児の歩行分析を行なった。具体的には、歩き始めと歩き慣れた時期とでは足裏にかかる圧に相違が現れると予測し、歩行時の足裏への荷重負荷の状態および重心を把握するため、圧分布マットを用いて計測を行なった。
【００１２】
被験者の生後１３ヶ月、１４ヶ月、１５ケ月時に、呼びかけによる自由歩行で圧分布マット上を歩かせ、荷重変化および重心移動の比較を行なった。実験に使用した圧分布マットは、センサ分解能１［ｃｍ２  ］、センサ部のサイズが４８ｃｍ×４４ｃｍで、垂直力を圧情報として出力できる。センサの測定範囲は１．９６〜１９．６［ｋＰａ］、精度は±１０％である。このマットを２枚つなげ、有効測定領域が９６ｃｍ×４４ｃｍとなるように設置し、サンプリング周波数１００［Ｈｚ］で計測を行なった。
【００１３】
生後１３ヶ月、１４ヶ月、１５ヶ月時のそれぞれの計測結果の中から、立脚時間がほぼ同一の右足１歩を選出し、比較を行なう。乳幼児の足裏はまだ未発達であり、扁平足であるため、図２に示すように、足長の中心で荷重分布を前部と後部とに分割した。
【００１４】
図３は、右足荷重の時間変化を示している。生後１３ヶ月、１４ヶ月、１５ヶ月のときのそれぞれにおいて、後部荷重が０［Ｎ］になる時刻を見ると、１３ヶ月時で０．１９［ｓ］、１４ヶ月時で０．２９［ｓ］、１５ヶ月時で０．３１［ｓ］であり、後部への荷重時間が成長に伴って徐々に増加している。これは、ほぼ足全体で着地し、その後踵が浮いてゆくという未熟な歩き方から、踵から着地し、徐々に前部へ荷重を移動してゆく歩き方に発達していることを示している。
【００１５】
図４は、足裏の重心移動の軌跡を示している。１３ヶ月時では、踵からつま先へ直線状に重心が移動しているのに対し、１４ヶ月時、１５ヶ月時になるに従い、弧を描いてつま先へ向かって重心が移動している。すなわち、足幅方向へも重心移動があることにより、安定感が得られ、歩行が上達しているのがわかる。
【００１６】
本願の発明者は、さらに、乳幼児の左右の足の重心移動の軌跡も調査した。図５は、歩行開始時期の一例として生後１３ヶ月（歩行開始後１か月）の乳幼児、および歩き慣れた時期の一例として生後１９ケ月（歩行開始後９ヶ月）の乳幼児の重心移動の軌跡、時間因子および距離因子を示している。
【００１７】
図５の（ａ）および（ｂ）を比較すれば明らかなように、歩行開始時期は足中央部へ重心が移動し、そのまま次の足へと移動している。これは、片足立脚時に、重心が前足部へ移動する前に次の足が着地し、両足接地した状態で重心を移動させているためである。すなわち、重心移動が効率良く行なわれていない。
【００１８】
歩き慣れた時期では、重心は踵部を通り前足部へ移動し、次の足の踵部へ移動している。すなわち、片足立脚時に踵から前足部への重心移動が見られ、その後次の足が着地している。これは、前足部で地面を蹴る動作の現れであると考えられる。
【００１９】
次に１歩行周期中の片足立脚している時間の割合を示す遊脚時間率では、歩行開始時は２１．５％、歩き慣れた時期では３１．０％と増加しており、片足立脚時の安定性が増している。また、歩幅は、歩行開始時が２５．９ｃｍであるのに対し、歩き慣れた時期では３７．４ｃｍと大きくなっており、歩行速度も０．６３ｋｍ／ｈから１．３５ｋｍ／ｈへと増加している。このことから、歩行の効率が良くなっていると考えられる。
【００２０】
以上の計測結果から、歩行開始から歩き慣れて行くに従い歩行時の安定性の増加、歩行効率の増加が見られ、歩行が上達していることが認められた。
【００２１】
本発明は、上記のような乳幼児の歩行特性を考慮して、歩き始めの乳幼児に特に適した乳幼児用靴を提供しようとするものである。より特定的には、歩き始めの乳幼児に適した滑り止め構造を提供しようとするものである。
【００２２】
図７および図８は、この発明の一実施形態を示している。図７に示すように、乳幼児用靴１０は、靴底１１を有している。
【００２３】
図８に示すように、靴底１１は、つま先部Ａと中間部Ｂと踵部Ｃとから構成されており、裏面の滑り止め１２は、踵部Ｃに形成された後部滑り止め１２ａと、中間部Ｂの外側領域に形成された側部滑り止め１２ｂとを有する。
【００２４】
図示した実施形態では、後部滑り止め１２ａと側部滑り止め１２ｂとは、連続的に形成されている。靴底１１の裏面領域全体でみると、上記の滑り止め１２が形成されている領域以外は、どこにも滑り止めが無く、フラットな面となっている。具体的には、靴底１１の裏面のつま先部Ａ、中間部Ｂの中央領域および内側領域には、滑り止めが形成されていない。
【００２５】
前述したように、歩き始めでよちよち歩きの段階の乳幼児の歩行動作は、足裏全体をほぼ同時に地面に接地するぺったん歩きであり、重心移動の軌跡は、踵部分から入り、ほぼ直線的に延びて親指（第１指）のところから抜ける。また、歩き始めの時期の乳幼児は、左右に身体を傾けてふらふらと歩くため、外側に向けて重心をかけることがある。
【００２６】
よちよち歩きの乳幼児にとって、靴底裏面の前方部分、すなわち中間部Ｂからつま先部Ａに亘って滑り止めがあると、前方につっかかりが生じてしまい、歩行動作がしづらくなる。
【００２７】
乳幼児の歩行動作はぺったん歩きといいながらも、厳密には、まず踵から着地するので、靴底１１の踵部Ｃには滑り止め１２ａが必要である。さらに歩行動作中に外側によろけたときの滑り止めとして、踵部Ｃから中間部Ｂの外側領域にまで滑り止め１２ｂを設けている。そして、その他の部分には、滑り止めを設けず、フラットにして歩行動作時におけるつっかかりを生じさせないようにする。
【００２８】
乳幼児の歩行動作が上達し、重心移動の軌跡が円弧状を描くようになれば、乳幼児は、つま先で地面を蹴ることができるようになる。図９〜図１１に示す乳幼児用靴２０は、このような段階の乳幼児に適したものである。図９は斜視図、図１０は側面図、図１１は靴底裏面を示している。
【００２９】
特に図１１から明らかなように、乳幼児用靴２０の靴底は、つま先部Ａと中間部Ｂと踵部Ｃとから構成されており、踵部Ｃおよび中間部Ｂの外側領域に滑り止め２２が形成されている。つま先で地面を蹴ることができるようになった乳幼児の場合には、靴底２１の前方部分、例えば、つま先部Ａや中間部Ｂの中央領域に滑り止めを設けるようにしてもよい。
【００３０】
図示するように、つま先部Ａと中間部Ｂとの間の遷移領域の靴底裏面に、幅方向に延びる複数の横溝２３が形成されている。複数の横溝２３は、歩行時における乳幼児のつま先の曲げ動作に追従して靴底２１が容易に曲がるようにするためのものである。
【００３１】
複数の横溝２３を設けることにより、屈曲する領域は広がる。また、各横溝２３は、図９および図１０に示すように、その両端が靴底２１の側面にまでせり上がっているので、この横溝２３が位置する部分では非常に柔らかくなり、よりしなやかに屈曲するようになる。さらに、横溝２３は、好ましくは、直線的に延びるのではなく、図示するように乳幼児の足の中足骨アーチに沿うように僅かに湾曲しているので、乳幼児は、靴２０を着用している状態でも、裸足で地面の上を歩行しているように自然につま先を曲げることができる。
【００３２】
以上、この発明を図面を参照して説明したが、この発明は、図示した実施形態に限定されるものではない。特許請求の範囲に記載された発明と同一の範囲内において、あるいは均等の範囲内において、図示した実施形態に対して種々の修正や変形を加えることが可能である。
【図面の簡単な説明】
【図１】大人の足の重心移動の軌跡を示す図である。
【図２】圧分布分析のために乳幼児の足を前部と後部とに分割したことを示す図である。
【図３】右足荷重の時間変化を示す図である。
【図４】足裏の重心移動の軌跡を示す図である。
【図５】左右の足の重心移動の軌跡を示す図である。
【図６】大人の靴の靴底裏面を示す図である。
【図７】この発明の一実施形態の斜視図である。
【図８】図７の乳幼児用靴の裏面を示す図である。
【図９】この発明の他の実施形態を示す図である。
【図１０】図９の乳幼児用靴の側面図である。
【図１１】図９の乳幼児用靴の裏面を示す図である。
【符号の説明】
Ａ  つま先部、Ｂ  中間部、Ｃ  踵部、１  前方滑り止め、２  後方滑り止め、１０  乳幼児用靴、１１  靴底、１２  滑り止め、１２ａ  後部滑り止め、１２ｂ  側部滑り止め、２０  乳幼児用靴、２１  靴底、２２  滑り止め、２３  横溝。
【図１】
2004254964.tif 000003
【図２】
2004254964.tif 000004
【図３】
2004254964.tif 000005
【図４】
2004254964.tif 000006
【図５】
2004254964.tif 000007
【図６】
2004254964.tif 000008
【図７】
2004254964.tif 000009
【図８】
2004254964.tif 000010
【図９】
2004254964.tif 000011
【図１０】
2004254964.tif 000012
【図１１】
2004254964.tif 000013